(57)【特許請求の範囲】
【請求項１】
加速度値を検出する加速度センサと、
前記加速度値に基づいて、移動している状態と、移動していない状態のいずれかを判別し、前記移動している状態と、前記移動していない状態とで、前記加速度センサの感度を変更するコントローラと
を備え、
前記コントローラは、
前記移動している状態を判別する場合、
転倒検出を実行するとき、前記加速度センサの感度を最大の感度にし、
前記転倒検出を実行しないとき、前記移動している状態に応じて前記加速度センサの感度を変更する、携帯機器。
【請求項２】
前記コントローラは、
前記加速度値に基づいて、移動している状態と、移動していない状態のいずれかを判別する第１制御部と、
前記移動している状態と、前記移動していない状態とで、前記加速度センサの感度を変更する第２制御部と
を含む請求項１に記載の携帯機器。
【請求項３】
前記コントローラは、
前記移動している状態として、複数の移動手段のうちのいずれで移動しているかを判別し、
前記複数の移動手段のうちの少なくとも２つにおいて、前記加速度センサの感度を異なる感度に変更する請求項１又は２に記載の携帯機器。
【請求項４】
前記コントローラは、
前記移動手段が歩行又は自転車に該当する場合、前記加速度センサの感度を最大に変更する請求項３に記載の携帯機器。
【請求項５】
加速度値を検出する加速度センサを備える携帯機器に実行させる制御方法であって、
前記加速度値に基づいて、移動している状態と、移動していない状態のいずれかを判別するステップと、
前記移動している状態と、前記移動していない状態とで、前記加速度センサの感度を変更するステップと
を含み、
前記感度を変更するステップは、
前記判別するステップにおいて、前記移動している状態を判別する場合、
転倒検出をするとき、前記加速度センサの感度を最大の感度にし、
前記転倒検出を実行しないとき、前記移動している状態に応じて前記加速度センサの感度を変更する、制御方法。
【請求項６】
加速度値を検出する加速度センサを備える携帯機器に、
前記加速度値に基づいて、移動している状態と、移動していない状態のいずれかを判別するステップと、
前記移動している状態と、前記移動していない状態とで、前記加速度センサの感度を変更するステップと
を実行させ、
前記感度を変更するステップは、
前記判別するステップにおいて、前記移動している状態を判別する場合、
転倒検出をするとき、前記加速度センサの感度を最大の感度にし、
前記転倒検出を実行しないとき、前記移動している状態に応じて前記加速度センサの感度を変更する、制御プログラム。
【発明の詳細な説明】
【技術分野】
【０００１】
本出願は、携帯機器、制御方法及び制御プログラムに関する。
【背景技術】
【０００２】
従来、加速度の値に基づいて移動の有無を判別する技術がある。
【先行技術文献】
【特許文献】
【０００３】
【特許文献１】特開２００９−２６７７７０号公報
【発明の概要】
【発明が解決しようとする課題】
【０００４】
上記技術は、判別方法に改善の余地がある。
【課題を解決するための手段】
【０００５】
１つの態様に係る携帯機器は、加速度値を検出する加速度センサと、前記加速度値に基づいて、移動している状態と、移動していない状態のいずれかを判別するコントローラとを備える。前記コントローラは、前記移動している状態と、前記移動していない状態とで、前記加速度センサの感度を変更する。
【０００６】
１つの態様に係る制御方法は、加速度値を検出する加速度センサを備える携帯機器に実行させる制御方法である。当該制御方法は、前記加速度値に基づいて、移動している状態と、移動していない状態のいずれかを判別するステップを含む。前記制御方法は、前記移動している状態と、前記移動していない状態とで、前記加速度センサの感度を変更するステップを含む。
【０００７】
１つの態様に係る制御プログラムは、加速度値を検出する加速度センサを備える携帯機器に、前記加速度値に基づいて、移動している状態と、移動していない状態のいずれかを判別するステップを実行させる。前記制御プログラムは、前記携帯機器に、前記移動している状態と、前記移動していない状態とで、前記加速度センサの感度を変更するステップを実行させる。
【図面の簡単な説明】
【０００８】
【図１】図１は、１つの実施形態に係るスマートフォンの機能構成を示すブロック図である。
【図２】図２は、１つの実施形態に係るスマートフォンにより実行される処理の一例を示すフローチャートである。
【図３】図３は、１つの実施形態に係るスマートフォンにより実行される処理の一例を示すフローチャートである。
【発明を実施するための形態】
【０００９】
本出願に係る携帯機器、制御方法及び制御プログラムを実施するための複数の実施形態を、図面を参照しつつ詳細に説明する。以下では、本出願に係る携帯機器の一例として、スマートフォンを取り上げて説明する。以下の説明において、同様の構成要素について同一の符号を付すことがある。さらに、重複する説明は省略することがある。
【００１０】
図１を参照しつつ、複数の実施形態の一例に係るスマートフォン１の機能構成の一例を説明する。図１は、スマートフォン１の機能構成を示すブロック図である。
【００１１】
図１に示すように、スマートフォン１は、タッチスクリーンディスプレイ２と、１もしくは複数のボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、方位センサ１６とを含む。以下の説明において、スマートフォン１を「自機」と表記する場合がある。
【００１２】
タッチスクリーンディスプレイ２は、ディスプレイ２Ａと、タッチスクリーン２Ｂとを含む。ディスプレイ２Ａ及びタッチスクリーン２Ｂは、例えば、重なって位置してもよいし、並んで位置してもよいし、離れて位置してもよい。ディスプレイ２Ａとタッチスクリーン２Ｂとが重なって位置する場合、例えば、ディスプレイ２Ａの１ないし複数の辺は、タッチスクリーン２Ｂのいずれの辺とも沿っていなくてもよい。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを含む。ディスプレイ２Ａは、文字、画像、記号、及び図形等のオブジェクトを画面内に表示できる。ディスプレイ２Ａが表示する文字、画像、記号、及び図形等のオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。
【００１４】
タッチスクリーン２Ｂは、タッチスクリーン２Ｂに対する１もしくは複数の指、１もしくは複数のペン、又は１もしくは複数のスタイラスペン等の接触又は近接を検出できる。タッチスクリーン２Ｂは、１もしくは複数の指、１もしくは複数のペン、又は１もしくは複数のスタイラスペン等がタッチスクリーン２Ｂに接触又は近接したときのタッチスクリーン２Ｂ上の位置を検出できる。タッチスクリーン２Ｂが検出する指、ペン、及びスタイラスペン等は、「指」と表記する場合がある。タッチスクリーン２Ｂが検出した指が接触又は近接した位置を「検出位置」と表記する場合がある。タッチスクリーン２Ｂは、タッチスクリーン２Ｂに対する指の接触を、検出位置とともにコントローラ１０に通知できる。タッチスクリーン２Ｂが行える動作を、タッチスクリーン２Ｂを有するタッチスクリーンディスプレイ２は実行できる。言い換えると、タッチスクリーン２Ｂが行う動作は、タッチスクリーンディスプレイ２が行ってもよい。タッチスクリーン２Ｂに対する操作は、タッチスクリーン２Ｂを有するタッチスクリーンディスプレイ２に対する操作と言い換えることができる。タッチスクリーン２Ｂに対する操作は、タッチスクリーン２Ｂを有するスマートフォン１に対する操作と言い換えることができる。ある実施形態において、タッチスクリーン２Ｂは、検出方式として静電容量方式、抵抗膜方式又は荷重検出方式を適宜採用できる。
【００１５】
コントローラ１０は、タッチスクリーン２Ｂにより検出された接触の数、接触が検出された位置、接触が検出された位置の変化、接触が検出された時間的長さ、接触が検出された時間的間隔、及び接触が検出された回数の少なくとも１つに基づいて、ジェスチャの種別を判別できる。コントローラ１０が行える動作を、コントローラ１０を有するスマートフォン１は実行できる。言い換えると、コントローラ１０が行う動作は、スマートフォン１が行ってもよい。ジェスチャは、指を用いて、タッチスクリーン２Ｂに対して行われる操作である。タッチスクリーン２Ｂに対して行われる操作は、タッチスクリーン２Ｂを有するタッチスクリーンディスプレイ２に行われてもよい。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。
【００１６】
ボタン３は、利用者からの操作入力を受け付ける。ボタン３は、利用者からの操作入力を受け付けると、コントローラ１０に操作入力を受け付けた旨を通知する。ボタン３の数は、単数であっても、複数であってもよい。
【００１７】
照度センサ４は、照度を検出できる。照度は、照度センサ４の測定面の単位面積に入射する光束の値である。照度センサ４は、例えば、ディスプレイ２Ａの輝度の調整に用いてもよい。
【００１８】
近接センサ５は、近隣の物体の存在を非接触で検出できる。近接センサ５は、磁界の変化又は超音波の反射波の帰還時間の変化等に基づいて物体の存在を検出する。近接センサ５は、例えば、ディスプレイ２Ａに利用者の顔が接近したことを検出するのに用いてもよい。照度センサ４及び近接センサ５は、１つのセンサとして構成されていてもよい。照度センサ４は、近接センサとして用いられてもよい。
【００１９】
通信ユニット６は、無線により通信できる。通信ユニット６は、無線通信規格をサポートする。通信ユニット６によってサポートされる無線通信規格には、例えば、２Ｇ、３Ｇ、４Ｇ等のセルラーフォンの通信規格と、近距離無線の通信規格とが含まれる。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１（ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．の略称である）、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等が含まれる。ＷＰＡＮの通信規格には、例えば、ＺｉｇＢｅｅ（登録商標）、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｚ−Ｗａｖｅ、ＷｉＳｕｎ（Ｗｉｒｅｌｅｓｓ  Ｓｍａｒｔ  Ｕｔｉｌｉｔｙ  Ｎｅｔｗｏｒｋ）が含まれる。通信ユニット６は、上述した通信規格の１つ又は複数をサポートしていてもよい。
【００２０】
レシーバ７は、コントローラ１０から送信される音信号を音として出力できる。レシーバ７は、例えば、スマートフォン１にて再生される動画の音、音楽の音、及び通話時の相手の声を出力できる。マイク８は、利用者の声等を音信号へ変換してコントローラ１０へ送信する。
【００２１】
ストレージ９は、プログラム及びデータを記憶できる。ストレージ９は、コントローラ１０の処理結果を一時的に記憶する作業領域として利用してもよい。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２２】
ストレージ９に記憶されるプログラムには、フォアグランド又はバックグランドで実行されるアプリケーションと、アプリケーションの動作を支援する基本プログラムとが含まれる。アプリケーションの画面は、例えば、フォアグランドで実行される場合に、ディスプレイ２Ａに表示される。基本プログラムには、例えば、ＯＳが含まれる。アプリケーション及び基本プログラムは、通信ユニット６による無線通信又は非一過的な記憶媒体を介してストレージ９にインストールされてもよい。
【００２３】
ストレージ９は、制御プログラム９Ａ、メールアプリケーション９Ｂ、電話アプリケーション９Ｃ、及び設定データ９Ｚなどを記憶できる。
【００２４】
制御プログラム９Ａは、スマートフォン１を動作させるための各種制御に関する機能を提供する。実施形態において、制御プログラム９Ａは、第１制御プログラム９１ａおよび第２制御プログラム９２ａを含む。
【００２５】
第１制御プログラム９１ａは、加速度値に基づいて、自機が移動している状態と、自機が移動していない状態のいずれかを判別する機能を提供できる。自機が移動している状態とは、自機を携帯する利用者が移動している状態を含む。自機が移動していない状態とは、自機を携帯する利用者が移動していない状態を含む。第１制御プログラム９１ａは、自機が移動している状態として、複数の移動手段の内のいずれで移動しているかを判別する機能を提供できる。複数の移動手段には、歩行、走行、自転車、電車が含まれる。
【００２６】
第２制御プログラム９２ａは、自機が移動している状態と、自機が移動していない状態とで、加速度センサ１５の感度（以下、測定レンジ）を変更する機能を提供できる。加速度センサ１５の測定レンジは、例えば、±２ｇ（重力加速度）、±４ｇ、±８ｇ、±１６ｇが設けられる。これらの測定レンジは、例示に過ぎず、これらの測定レンジに限られない。第２制御プログラム９２ａは、自機が移動している状態であると判別された場合に、複数の移動手段のうちの少なくとも２つにおいて、加速度センサ１５の測定レンジを異なる測定レンジに変更する機能を提供できる。複数の移動手段の少なくとも２つには、自転車及び歩行が含まれる。実施形態において、第２制御プログラム９２ａは、自機の移動手段が自転車又は歩行であると判別された場合、加速度センサ１５の測定レンジを最大の±１６ｇに変更する。変更前の加速度センサ１５の測定レンジが±４ｇであれば、加速度センサ１５の測定レンジを±４ｇから±１６ｇに変更する。第２制御プログラム９２ａは、自機の移動手段が自転車及び歩行以外であると判別された場合、加速度センサ１５の測定レンジを変更前の設定値に戻してよい。変更前の加速度センサ１５の測定レンジが±４ｇであれば、第２制御プログラム９２ａは、加速度センサ１５の測定レンジを±１６ｇから±４ｇに変更する。第２制御プログラム９２ａは、自機の移動手段が自転車及び歩行以外であると判別された場合、加速度センサ１５の測定レンジを他の設定値に変更してよい。例えば、第２制御プログラム９２ａは、自機の移動手段が電車であると判別された場合、加速度センサ１５の測定レンジを最大の±２ｇに変更してよい。第２制御プログラム９２ａが変更する測定レンジは、この例に限られない。
【００２７】
メールアプリケーション９Ｂは、電子メールの作成、送信、受信、及び表示等のための電子メール機能を提供できる。電話アプリケーション９Ｃは、無線通信による通話のための通話機能を提供できる。
【００２８】
設定データ９Ｚは、制御プログラム９Ａなどにより提供される機能に基づいて実行される処理に用いられる各種データを含んで構成される。設定データ９Ｚは、自機が移動している状態であるかを判別するための情報を含む。設定データ９Ｚは、自機が移動している状態である場合に、自機の移動手段を判別するための情報を含む。自機が移動している状態であるかを判別するための情報、及び自機の移動手段を判別するための情報は、スマートフォン１に作用する加速度の方向及び大きさ、又は加速度の方向及び大きさの時系列変化で構成される加速度パターンを含んでよい。
【００２９】
コントローラ１０は、スマートフォン１の動作を統括的に制御して各種の機能を実現できる。コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含んでもよいが、これらに限定されない。ＳｏＣは、通信ユニット６等の他の構成要素が統合されていてもよい。コントローラ１０は、コントローラの一例である。
【００３０】
具体的には、コントローラ１０は、ストレージ９に記憶されているデータを必要に応じて参照しつつ、ストレージ９に記憶されているプログラムに含まれる命令を実行する。コントローラ１０は、データ及び命令に応じて機能部を制御し、それによって各種機能を実現する。機能部は、例えば、ディスプレイ２Ａ、通信ユニット６、マイク８、スピーカ１１、及び方位センサ１６の少なくとも１つを含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、及び方位センサ１６の少なくとも１つを含むが、これらに限定されない。
【００３１】
コントローラ１０は、制御プログラム９Ａを実行することにより、加速度センサ１５と協働して、次の各処理を実現する。コントローラ１０は、第１制御部１０ａ及び第２制御部１０ｂを含む。第１制御部１０ａは、第１制御プログラム９１ａを実行することにより、加速度センサ１５の検出結果に基づき、自機が移動している状態と、自機が移動していない状態のいずれかを判別する処理を実現する。第２制御部１０ｂは、第２制御プログラム９２ａを実行することにより、自機が移動している状態と、自機が移動していない状態とで、加速度センサ１５の測定レンジを変更する処理を実現する。第２制御部１０ｂは、第２制御プログラム９２ａを実行することにより、自機が移動している状態である場合、複数の移動手段のうちの少なくとも２つにおいて、加速度センサ１５の測定レンジを異なる測定レンジに変更する処理も実現できる。例えば、第２制御部１０ｂは、自機が歩行又は自転車で移動している場合、加速度センサ１５の測定レンジを最大に変更する処理を実行できる。第１制御部１０ａ及び第２制御部１０ｂは、物理的に分散されていてもよいし、物理的に統合されていてもよい。第１制御部１０ａ及び第２制御部１０ｂは、物理的には統合される一方で機能的には分散されていてもよい。
【００３２】
スピーカ１１は、コントローラ１０から送信される音信号を音として出力できる。スピーカ１１は、例えば、着信音及び音楽を出力してもよい。レシーバ７及びスピーカ１１の一方が、他方の機能を兼ねてもよい。
【００３３】
カメラ１２及びカメラ１３は、撮影した画像を電気信号へ変換できる。カメラ１２は、ディスプレイ２Ａに面している物体を撮影するインカメラでもよい。カメラ１３は、ディスプレイ２Ａの反対側の面に面している物体を撮影するアウトカメラでもよい。カメラ１２及びカメラ１３は、インカメラ及びアウトカメラを切り換えて利用可能なカメラユニットとして、機能的及び物理的に統合された状態でスマートフォン１に実装されてもよい。
【００３４】
コネクタ１４は、他の装置が接続される端子を含む。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子を含んでよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００３５】
加速度センサ１５は、スマートフォン１に作用する加速度の方向及び大きさ（加速度値）を検出できる。加速度センサ１５は、加速度値を検出する際の複数の測定レンジを有する。コントローラ１０は、加速度センサ１５により検出される加速度の方向及び大きさ、または加速度の方向及び大きさの時系列変化を含む加速度パターンに基づいて、スマートフォン１の利用者が移動している状態を判別できる。コントローラ１０は、制御プログラム９Ａを実行することにより、スマートフォン１の移動手段を判別できる。コントローラ１０は、加速度の方向及び大きさの各々が、設定データ９Ｚに含まれる情報と所定の確度をもって合致するかを判定することにより、自機の利用者の移動手段が歩行、走行、自転車、電車のいずれに該当するかを判別できる。コントローラ１０は、加速度センサ１５により検出される加速度の方向及び大きさ、または加速度の方向及び大きさの時系列変化を含む加速度パターンに基づいて、スマートフォン１の利用者が移動していない状態を判別できる。コントローラ１０は、加速度の方向及び大きさの各々が、設定データ９Ｚに含まれる情報と所定の確度をもって合致するかを判定することにより、スマートフォン１の利用者が移動していない状態と判定した際に、自機を携帯する利用者が停止している状況、自機が利用者に把持されている状況、自機が載置されている状況のいずれに該当するかを判別できる。加速度センサ１５により検出される加速度の方向及び大きさの各々は、自機の移動状態及び移動手段の判別を実現するための情報の一例でありこれに限られない。
【００３６】
方位センサ１６は、例えば、地磁気を計測することにより、スマートフォン１の向き（方位）を測定できる。方位センサ１６は、２軸タイプおよび３軸タイプのいずれであってもよい。方位センサ１６は、磁界の向き及び大きさを測定できる。
【００３７】
コントローラ１０は、加速度センサ１５及び方位センサ１６の各出力を組み合わせて利用してよい。加速度センサ１５及び方位センサ１６の各出力を組み合わせて利用することで、スマートフォン１は、自機の動きを高度に反映させた制御をコントローラ１０によって実行できる。加速度センサ１５及び方位センサ１６は、１つのモーションセンサとして利用してよい。
【００３８】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信できる。ＧＰＳ受信機は、受信した電波信号の復調処理を行って、処理後の信号をコントローラ１０に送出する。ＧＰＳ受信機は、スマートフォン１の現在位置の演算処理をサポートする。バイブレータは、スマートフォン１の一部又は全体を振動させる。バイブレータは、振動を発生させるために、例えば、圧電素子、又は偏心モータなどを含む。スマートフォン１は、バッテリなど、スマートフォン１の機能を維持するために当然に用いられる機能部、及びスマートフォン１の制御を実現するために当然に用いられる制御部を含む。
【００３９】
図２及び図３を参照しつつ、実施形態に係るスマートフォン１により実行される処理の一例を説明する。図２及び図３は、実施形態に係るスマートフォンにより実行される処理の一例を示すフローチャートである。図２及び図３に示す処理は、コントローラ１０が、ストレージ９に記憶されている制御プログラム９Ａを実行することにより実現される。
【００４０】
図２を用いて、スマートフォン１により実行される処理の流れの一例を説明する。図２に示すように、コントローラ１０は、加速度センサ１５により検出された加速度値に基づいて、自機が移動している状態であるかを判定する（ステップＳ１０１）。
【００４１】
コントローラ１０は、判定の結果、自機が移動している状態である場合（ステップＳ１０１，Ｙｅｓ）、移動している状態に応じて加速度センサ１５の測定レンジを変更する（ステップＳ１０２）。
【００４２】
一方、コントローラ１０は、判定の結果、自機が移動している状態ではない場合（ステップＳ１０１，Ｎｏ）、移動していない状態に応じて加速度センサ１５の測定レンジを変更する（ステップＳ１０３）。例えば、コントローラ１０は、移動していない状態に判別した状況に応じて、加速度センサ１５の測定レンジを変更する。なお、このステップＳ１０３に代えて、コントローラ１０は、加速度センサ１５の測定レンジを、移動していない状態のいずれでも所定の１つの測定レンジに変更してよい。
【００４３】
続いて、コントローラ１０は、処理を継続するかを判定する（ステップＳ１０４）。
【００４４】
コントローラ１０は、判定の結果、処理を継続する場合（ステップＳ１０４，Ｙｅｓ）、上記ステップＳ１０１の処理手順に戻る。
【００４５】
一方、コントローラ１０は、判定の結果、処理を継続しない場合（ステップＳ１０４，Ｎｏ）、図２に示す処理を終了する。
【００４６】
図３を用いて、スマートフォン１により実行される処理の流れの他の例を説明する。図３に示すように、コントローラ１０は、加速度センサ１５により検出された加速度値に基づいて、自機が移動している状態であるかを判定する（ステップＳ２０１）。
【００４７】
コントローラ１０は、判定の結果、自機が移動している状態である場合（ステップＳ２０１，Ｙｅｓ）、移動手段を判別する（ステップＳ２０２）。
【００４８】
続いて、コントローラ１０は、移動手段に基づいて、転倒検出を実行するかを判定する（ステップＳ２０３）。例えば、コントローラ１０は、移動手段が、自転車又は歩行に該当する場合、転倒検出を実行する旨の判定結果を導出する。
【００４９】
コントローラ１０は、判定の結果、転倒検出を実行する場合（ステップＳ２０３，Ｙｅｓ）、加速度センサ１５の測定レンジを最大に変更する（ステップＳ２０４）。
【００５０】
続いて、コントローラ１０は、処理を継続するかを判定する（ステップＳ２０５）。
【００５１】
コントローラ１０は、判定の結果、処理を継続する場合（ステップＳ２０５，Ｙｅｓ）、上記ステップＳ２０１の処理手順に戻る。
【００５２】
一方、コントローラ１０は、判定の結果、処理を継続しない場合（ステップＳ２０５，Ｎｏ）、図３に示す処理を終了する。
【００５３】
上記ステップＳ２０３において、コントローラ１０は、判定の結果、転倒検出を実行しない場合（ステップＳ２０３，Ｎｏ）、移動している状態に応じて加速度センサ１５の測定レンジを変更し（ステップＳ２０６）、上記ステップＳ２０５の処理手順に移る。
【００５４】
上記ステップＳ２０１において、コントローラ１０は、判定の結果、自機が移動している状態ではない場合（ステップＳ２０１，Ｎｏ）、移動していない状態に応じて加速度センサ１５の測定レンジを変更し（ステップＳ２０７）、上記ステップＳ２０５の処理手順に移る。
【００５５】
上記の実施形態では、スマートフォン１は、例えば、自機が移動している状態であるときに、移動手段が自転車又は歩行に該当する場合、自機の利用者の転倒検出を実行することを目的として、加速度センサ１５の測定レンジを最大にできる。このため、上記の実施形態によれば、スマートフォン１の利用者の転倒の検出が可能となる。
【００５６】
上記の実施形態において、スマートフォン１は、転倒の検出に応じて、予め設定された連絡先に、転倒が検出された旨を通知してもよい。例えば、スマートフォン１は、予め設定されたメールアドレスに、転倒が検出された旨のメッセージを送信してもよい。
【００５７】
図２及び図３に示す処理は、スマートフォン１以外にも、加速度センサを搭載する各種電子機器に適用してよい。
【００５８】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【００５９】
上記の実施形態において、コントローラ１０が移動手段に基づいて転倒検出を実行するか否かを判定したが、この判定は省略してよい。この判定を省略する場合、コントローラ１０は、例えば、移動状態に応じた加速度センサ１５の測定レンジとして、自転車又は歩行に該当する場合に加速度センサ１５の測定レンジを最大に変更する。
【符号の説明】
【００６０】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  方位センサ
【図１】
0006661452.tif 000002
【図２】
0006661452.tif 000003
【図３】
0006661452.tif 000004